(57)【要約】      （修正有）【課題】帽子のバイザーをユーザの要望に応じて容易にフォールディングできるようにして、ユーザにとって充分な視野の確保ができるように制作され改善されたバイザーを提供する。【解決手段】帽子のバイザー部２は、帽子の本体部であるクラウン部１と、クラウン部の前面の下端部に取り付けられたバイザー部とで構成された帽子において、バイザー部が前面バイザー部２１と後面バイザー部２２とで構成されており、前面バイザー部と後面バイザー部との間に縫製作業を通じて互いに連結されるように製作されていることを特徴とする。【選択図】図１
0003200209.tif 000002
【実用新案登録請求の範囲】
【請求項１】
複数のパネルで製作されたクラウン部と、前記クラウン部の前面の下端部に取り付けられたバイザー部と、を有する帽子において、
前記バイザー部は、前面バイザー部と、前記前面バイザー部と前記クラウン部との間に取り付けられる後面バイザー部とで構成され、
前記バイザー部は、前記前面バイザー部が前記クラウン部から離間するように、前記前面バイザー部と前記後面バイザー部との間に縫製ラインを備えることを特徴とする容易にフォールディングができるバイザー。
【請求項２】
前面バイザー部は、軟質のバイザー芯Ａを含み、
後面バイザー部は、前記バイザー芯Ａよりも硬質のバイザー芯Ｂを含む請求項１に記載の容易にフォールディングができるバイザー。
【請求項３】
前記バイザー部は、前記前面バイザー部と前記後面バイザー部とを覆う、バイザー上部生地と、バイザー下部生地と、をさらに含み、
前記バイザー芯Ａと、前記バイザー芯Ｂとは、互いに水平線上に隣接して位置していることを特徴とする請求項２に記載の容易にフォールディングができるバイザー。
【請求項４】
前記前面バイザー芯Ａの厚さは、前記バイザー芯Ｂの厚さよりも薄い請求項２または３に記載の容易にフォールディングができるバイザー。
【考案の詳細な説明】
【技術分野】
【０００１】
本考案は、帽子の改善されたバイザーに関し、より詳しくは、帽子のバイザーをユーザの要望に応じて容易にフォールディングできるようにして、ユーザにとって充分な視野の確保ができるように制作された改善されたバイザーに関する。
【背景技術】
【０００２】
一般的に、帽子は野球帽子型であり、ユーザの頭を覆う帽子の本体部であるクラウン部と、前記クラウン部の前面の下端部に取り付けられ、ユーザの顔を日光から保護するバイザー部と、前記クラウン部の内部の下端の周縁部に取り付けられ、ユーザの額から流れ落ちる汗を吸収するヘッドバンド部と、前記クラウン部の後面の下端部に取り付けられ、ユーザの頭のサイズによって帽子の周りのサイズを調節するサイズ調節装置部と、で構成されている。
【０００３】
前記野球帽子は、運動する人のみならず、老若男女を問わず広く使われており、若年層では自分を表現するファッションの道具としても利用されている。前記バイザー部は、硬い硬質のバイザー芯と、バイザー芯を囲むバイザー上部生地と、バイザー下部生地と、で構成されている。前記バイザー部は、曲線の形態と平らな平バイザーの形態に区分されており、硬質のバイザー芯によって、バイザー部は与えられた形態に長期間に亘って一定に維持される効果があった。
【０００４】
ところが、このような従来の形態のバイザー部は、時にはユーザの視野を遮るので、帽子を着用したまま運動や仕事をする際、視野の確保のために帽子を脱ぐか、バイザーを後面の方向に回して着用しなければならないという不便が問題となっていた。
【先行技術文献】
【特許文献】
【０００５】
【特許文献１】特開２００７−１３１９６１号公報
【考案の概要】
【考案が解決しようとする課題】
【０００６】
本考案は、上記のような問題を解決するために案出されたものであって、帽子のバイザー部をユーザの要望に応じて容易にフォールディングできるように製作することで、ユーザが帽子を着用した状態でも充分な視野の確保を容易にすることに目的がある。
【課題を解決するための手段】
【０００７】
上記の目的を達成するために、本考案の帽子のバイザー部は、帽子の本体部であるクラウン部と、クラウン部の前面の下端部に取り付けられたバイザー部と、で構成された帽子において、前記バイザー部は、前面バイザー部と、前記前面バイザーと前記クラウン部との間に取り付けられる後面バイザー部とで構成されており、前記前面バイザー部が前記クラウン部から離間するように、前記前面バイザー部と前記後面バイザー部との間に縫製ラインにより縫製作業を通じて互いに連結されるように製作されていることを特徴とする。
【考案の効果】
【０００８】
以上で説明したように、本考案の容易にフォールディングができるバイザーは、クラウン部と、クラウン部の前面の下端部に取り付けられたバイザー部と、で構成された帽子において、前記バイザー部が前面バイザー部と後面バイザー部とで構成され、縫製により前記前面バイザー部と後面バイザー部とが連結されるように製作され、ユーザの要望に応じてバイザー部を容易にフォールディングできるようにすることで、必要時にユーザが帽子を着用した状態でも充分な視野の確保ができるようにする効果がある。
【図面の簡単な説明】
【０００９】
【図１】本考案による容易にフォールディングができるバイザーを有する帽子の斜視図である。
【図２】図１のＡ−Ａ’部分の断面図である。
【図３】本考案による容易にフォールディングができるバイザーを有する帽子のバイザーをフォールディングした際の状態図である。
【考案を実施するための形態】
【００１０】
上記の目的を達成するために、本考案の実施例による詳細な説明は次のようである。
【００１１】
図１は、本考案による容易にフォールディングができるバイザーを有する帽子の斜視図であり、図２は、図１のＡ−Ａ’部分の断面図であり、図３は、本考案による容易なフォールディングができるバイザーを有する帽子のバイザーをフォールディングした際の状態図である。
【００１２】
図１、図２、図３に示すように、本考案の容易にフォールディングができるバイザーは、複数のパネルで製作される帽子のクラウン部１と、前記クラウン部１の前面の下端部に取り付けられたバイザー部２と、で構成された帽子において、前記バイザー部２が前面バイザー部２１と、前面バイザー部２１とクラウン部１との間に取り付けられる後面バイザー部２２とで構成され、前面バイザー部２１がクラウン部１から離間するように、前面バイザー部２１と後面バイザー部２２との間に縫製ライン２３が形成されるようにしてある。
【００１３】
また、本考案のバイザーのバイザー部２は、前面バイザー部２１に位置したバイザー芯Ａ２６と、後面バイザー部２２に位置したバイザー芯Ｂ２７と、前記バイザー芯Ａ、Ｂを覆うバイザー上部生地２４とバイザー下部生地２５とで構成される。そして、前記バイザー芯Ａ２６とバイザー芯Ｂ２７とが縫製ライン２３を中心にして水平線上で隣接して連結されている。
【００１４】
前記バイザー芯Ａ２６は、薄くて柔らかい軟質のＥＶＡ（Ｅｔｈｙｌｅｎ  Ｖｉｎｙｌ  Ａｃｅｔａｔｅ）で製作されており、バイザー芯Ｂ２７は、バイザー芯Ａ２６よりは厚くて硬い重質あるいは硬質のポリカーボネートで製作されている（図２参照）。前記バイザー芯Ａ２６は、ＥＶＡの代わりに透明な材質の材料や軟質の他の材料にも代替が可能であり、バイザー芯Ｂ２７もポリカーボネートの他に、重質あるいは硬質の材料にも代替が可能である。前記バイザー上部生地２４とバイザー下部生地２５は、一般の織物や編物、メッシュ生地、あるいは織物とメッシュ生地とが結合された生地などの何れかの生地にも作成が可能である。
【００１５】
ユーザが上記の本考案のバイザーを有する帽子を着用する場合、平時には他の既存の一般的なバイザーの形態と機能を同様に有するようになる。一方、視野を更に幅広く確保しようとする場合、図３に示すように、帽子を脱がなくても容易に縫製ライン２３に沿って前面バイザー部２１に該当する部分を上方に折り上げたり折り下げることで視野の確保が可能になる。また、ユーザが既存のバイザーの形態を維持しようとする場合、折り上げたり折り下げた前面バイザー部２１に該当する部分を元の状態に下げるか上げれば良い。
【００１６】
本考案は、上記の具体例のみについて詳細に説明しているが、本考案の思想と範囲内で様々な変更が可能であることは、本考案が属する技術分野における当業者にとって自明な事実である。
【符号の説明】
【００１７】
１  クラウン部
２  バイザー部
２１  前面バイザー部
２２  後面バイザー部
２３  縫製ライン
２４  バイザー上部生地
２５  バイザー下部生地
２６  バイザー芯Ａ
２７  バイザー芯Ｂ
【図１】
0003200209.tif 000003
【図２】
0003200209.tif 000004
【図３】
0003200209.tif 000005